(57)【要約】【課題】  商品を結束した結束用の紐に取付けることが容易で、たとえ外力がラベルに加わったとしても、取付け後にはこの結束紐から外れ難い取付けラベルを提供する。【解決手段】  結束用の紐４０が貫通できる取付け穴１０と、該結束紐４０を周囲から取付け穴１０に導くための外周縁３０から取付け穴１０に達する切れ込み２０とを有した取付けラベル１であって、切れ込み２０の外周縁側端部は結束紐を切れ込み２０に案内するための拡開部２１とされており、取付け穴１０の周縁１１には穴内に突き出る突起部１２を有しており、切れ込み２０の取付け穴１０側の端部は前記突起部の先端またはその近傍に位置してなる。【選択図】  図１
2006243363.tif 000002
【特許請求の範囲】
【請求項１】
結束用の紐が貫通できる取付け穴と、該結束紐を周囲から取付け穴に導くための外周縁から取付け穴に達する切れ込みとを有した取付けラベルであって、
切れ込みの外周縁側端部は結束紐を切れ込みに案内するための拡開部とされており、取付け穴の周縁には穴内に向って突き出る突起部を有しており、切れ込みの取付け穴側の端部は前記突起部の先端またはその先端近傍に位置していることを特徴とする取付けラベル。
【請求項２】
取付けラベルは全体が矩形状であり、切れ込みはその長辺に沿う方向に形成されていることを特徴とする請求項１に記載の取付けラベル。
【請求項３】
前記取付けラベルは、結束紐で結束された商品に関する情報が表示されていることを特徴とする請求項１または２に記載に取付けラベル。
【発明の詳細な説明】
【技術分野】
【０００１】
本発明は、結束紐で結束されている商品の情報を表示するラベルに係り、特に、この結束紐に取付けが容易で、取付け後この結束紐から外れ難い取付けラベルに関する。
【背景技術】
【０００２】
従来から、商品名、価格など商品に関する情報を表示する場合には、このような情報を印刷したラベルを、粘着テープなどの接着手段を用いて、当該商品に張り付けることが一般的である。また、小型の植木鉢にラベルを取付ける際には、植木鉢の土壌中に上からラベルを差込んでいる。
【０００３】
しかし、植物の苗や植物の収穫物などの商品、または、このようなラベルを取付けるスペースがない商品に対しては、商品を結束紐で結束し、この結束紐にラベルが取付けられことがよくある。
【０００４】
そして、このようなラベルを結束紐に取付ける方法として、例えば、ラベルに取付け用の細い針金や紐を設け、この取付け用の針金や紐を、商品が結束された結束紐に結び付けることが一般的である。またこの他にも、ラベルに結束紐を貫通することができる取付け穴を設け、この取付け穴に結束紐を通してから、この結束紐を商品に結束することもある。
【０００５】
しかし、このような針金や紐を用いてラベルを結束紐に結び付ける場合は、商品ごとに結び付ける作業を行わなければならないので、ラベル表示が必要な商品が多いときには、このような作業は労力を要する。また、結束紐をラベルの取付け穴に通してから、この結束紐を商品に結束する場合には、結束紐を商品に結束する際にラベルが移動することが多く、決まった位置にラベルを固定することが難しい。
【０００６】
このような問題を解消するために、結束紐をラベル外周縁から取付け穴に導くための切れ込みを設けた取付けラベルが提案されている。例えば、この取付けラベルの一例として、図６に示すように、表示片６０を対称に折り畳む位置に折曲線６３が施され、該折曲線６３で折り畳んだ両片６０ａ、６０ｂにおいて同一となる位置に通し穴６４が形成されると共に夫々の通し穴６４から縁部に至る切込線６５が形成され、取付けの際に、該表示片６０の切込線６５を開くことによって通し穴６４を園芸植物の枝に掛けるようにした園芸用表示片６０が開示されている（特許文献１参照）。
【０００７】
またこの他にも、このような取付け用ラベルとして、図７に示すように、取付穴７１と、タグ周辺から取付穴７１に向って斜めに形成され、一端に丸み７３が付いた切れ込み７２と、を設け、取付けの際に、この切れ込み７２により形成された２つの耳部７２ａ、７２ｂを前後逆方向に反らすことによって、取付穴７１に商品の取付け具を通すようにした商品タグ７０が開示されている（特許文献２参照）。
【０００８】
【特許文献１】登録実用新案第３０６９７７５号公報
【特許文献２】特開２００３−２８０５２９号公報
【発明の開示】
【発明が解決しようとする課題】
【０００９】
しかし、このような取付けラベルは、商品の結束紐に取付けることは容易であるが、この取付けラベルが付いた商品を陳列または運搬する際には、引張りやねじれの外力がラベルに作用することもあり、このような外力が作用した場合には、取付け穴が結束紐に押されて変形し、取付け時と同様に切れ込みが開いてしまうことがある。その結果、この開いた切れ込みから結束紐が抜け出して、ラベルが簡単に外れる虞があった。
【００１０】
このような問題を解決するためには、前記外力により切れ込みが変形しないようにラベルの厚みを厚くする、または、ラベルの材料強度を上げるなど、ラベルの剛性を上げることも考えられるが、このような方法を採った場合には、切り込みが開き難くなるので、結束紐をラベル外周縁から切れ込みに通過させることが容易にできず、ラベルの取付けが難しくなる虞がある。
【００１１】
本発明は、このような課題に鑑みてなされたものであって、その目的とするところは、商品を結束した紐に取付けることが容易であり、たとえ外力がラベルに加わったとしても、取付け後には結束紐から外れ難い取付けラベルを提供することにある。
【課題を解決するための手段】
【００１２】
本発明者らは、上記の課題を解決すべく多くの実験と研究を行うことにより、この取付けラベルの切れ込みの位置と、この切れ込みの端部におけるラベルの形状と、に着眼し、最適な位置及び最適な形状を選定することにより、結束紐に取り付け易く、結束紐から外れ難いラベルが得られるとの知見を得た。
【００１３】
本発明は、本発明者らが得た上記の新たな知見に基づくものであり、本発明の取付けラベルは、結束用の紐が貫通できる取付け穴と、該結束紐を周囲から取付け穴に導くための外周縁から取付け穴に達する切れ込みとを有した取付けラベルであって、切れ込みの外周縁側端部は結束紐を切れ込みに案内するための拡開部とされており、取付け穴の周縁には穴内に突き出る突起部を有しており、切れ込みの取付け穴側の端部は前記突起部の先端またはその近傍に位置していることを特徴とする。
【００１４】
本発明の取付けラベルは、このような拡開部を設けることにより、結束紐にラベルを容易に取り付けることができ、また、突起部を設けることにより、ラベルが結束紐から外れ難くなる。
【００１５】
そして、この取付け穴が円形である場合の穴径の大きさは、例えば、結束紐の断面が円形とすると、この円の直径よりも０ｍｍから１５ｍｍ大きい穴径であることが好ましく、より好ましくは２ｍｍから１０ｍｍ程度大きい穴径である。さらにこの取付け穴の形状は、上に示す程度の大きさであれば、楕円形、多角形など、その形状は特に制限されない。
【００１６】
また、この切れ込みの外周縁側端部である拡開部は、ラベルの外周縁に向かってＶ字状に広がるように形成されていることが好ましく、このＶ字の斜辺により形成された角度は、２０度から１２０度の範囲にあることが好ましく、この角度が３０度から９０度の範囲であれば、さらにラベルを容易に取り付けることができる。そして、拡開部は結束紐が収まり、切れ込みに案内し易いように、結束紐の断面より広い領域を有した方がよい。
【００１７】
このように切れ込みの外周縁側の端部を拡開部とすることにより、ラベル取付け時には、ラベルの外周縁からこのＶ字状の拡開部の斜辺に沿って、結束紐をＶ字先端の切れ込みに案内することができるので、容易にラベルを取付けることができる。
【００１８】
また、この拡開部は、ラベル外周縁から結束紐を案内することが可能であれば、Ｕ字状であってもよく、円弧などの曲線を組合せることにより形成されてもよい。
【００１９】
さらに、この取付け穴内に向って突き出た突起部は、取付け穴の周縁から延びた２つの斜辺により形成されたＶ字状の突起であってもよく、その形状は楕円の一部、円弧などの曲線を組み合わせることによって形成された突起であってもよい。そして、この突起部の高さ（穴の周縁から突起部先端までの高さ）は、突起部が取付け穴を塞ぐことなく、切れ込みから案内された結束紐が穴内に収まるような高さであればよい。この突起部の高さは、取付け穴の大きさ、結束紐の断面の大きさによって決定すべきであるが、汎用の結束紐を用いた場合には、好ましくは、この高さは２ｍｍから１０ｍｍ程度である。
【００２０】
このような突起部を設けることにより、この取付けラベルが外力を受けた場合に、取付け穴に貫通した結束紐が、突起部の基端側に引っ掛かり、たとえ外力により取付け穴が変形し切込みが開こうとも、この結束紐は、穴側の切れ込み端部から切れ込みに沿って移動し難くなる。
【００２１】
さらに、ラベル外周縁から取付け穴に達する切れ込み（スリット）のスリット幅は、結束紐が簡単に通過できないように、結束紐の断面寸法の最小幅よりも、さらに狭い幅にしなければならず、汎用の結束紐を用いた場合には、略０ｍｍから２ｍｍ程度のスリット幅が好ましい。さらに、この切れ込みを形成する縁部分の少なくとも一方は、結束紐が取付け穴に導かれ易いように、直線であることが好ましい。また、この切れ込みは、突起部の先端に向って拡開とならないようにすることが好ましい。
【００２２】
また、この取付けラベル全体が矩形状である場合には、この切れ込みは、そのラベルの長辺に沿うように形成されていることが好ましい。一般的に、ラベル取付け後にラベルに負荷され易い外力としては、このラベルの長辺に沿った方向の引張り力及びねじれ力である。しかし、このような力がラベルに作用しても、この長辺に沿った方向に突起部が形成され、その突起部の先端に切れ込みが形成されることになるので、結束紐が突起部の基端側に引っ掛かり易く、結束紐が取付け穴から外れ難くなる。そして、このラベルの長辺の長さは、５０ｍｍから２００ｍｍ程度が好ましく、取付け穴及び切れ込みは、このラベルの短辺と交差するラベルの中心線上にあることが好ましい。
【００２３】
さらに、この取付けラベルは、厚紙、表面に樹脂を積層した厚紙、樹脂シート等の有機系の材料からなってもよく、アルミニウム系金属、鉄系の金属等の金属系の材料からなってもよい。
【００２４】
そして、取付けラベルは、結束紐で結束された商品に関する情報が表示されており、例えば、このラベル表面に商品の名称、価格などが印刷されていてもよく、商品の売上管理、在庫管理を容易に行うために、ＪＡＮコード（バーコード）などが表示されてもよい。
【発明の効果】
【００２５】
本発明に係る取付けラベルは、商品を結束した結束用の紐に取付けることが容易であり、取付け後にたとえ外力がラベルに加わったとしても、この結束紐から外れ難くなる。その結果、ラベルの取付け作業の効率化を図ることができるばかりでなく、ラベルが取付けられた商品を運搬者が安心して運ぶことができる。
【発明を実施するための最良の形態】
【００２６】
以下、本発明に係る取付けラベルの一実施形態を図面に基づき詳細に説明する。図１は本実施形態に係る取付けラベル１の全体図であり、図２は図１の取付けラベル１の要部拡大図、図３は商品５０を結束した結束紐４０に、図１に示す取付けラベル１を取付けた斜視図である。
【００２７】
図１から図３に示すように、本実施形態に係る取付けラベル１は、全体が矩形状のラベルであり、その表面には、商品名、商品の価格、バーコード等が印刷されている。また、この取付けラベル１の短辺と交差するラベルの中心線ＣＬ上には、結束用の紐４０が貫通できる取付け穴１０と、該結束紐４０を周囲から取付け穴１０に導くべく、ラベル外周縁３０から取付け穴１０に達する切れ込み２０とが形成されている。
【００２８】
そして、切れ込み２０の外周縁側端部は、拡開部２１となっており、該拡開部２１は、２つの斜辺２１ａ，２１ａにより形成されており、この斜辺２１ａ，２１ａは、結束紐４０を切れ込みに案内するために、取付けラベル１の外周縁３０に向ってＶ字状に広がるようになっている。
【００２９】
さらに、この取付けラベル１の取付け穴１０の周縁１１には、この穴内に向って突き出た突起部１２を有しており、この突起部１２は、この取付け穴１０の周縁１１から延びた２つの斜辺１２ａによりＶ字状（山型状）に形成されている。さらにＶ字状の突起部１２の先端１２ｂには、切れ込み２０の取付け穴側の端部が位置している。
【００３０】
このような取付けラベル１は、ラベル取付け時に、ラベルの外周縁３０からこのＶ字状の拡開部２１の斜辺２１ａに沿って、この結束紐４０を、２つの斜辺２１ａ，２１ａが交差する切れ込み２０に案内することが容易となる。さらに、この案内された結束紐４０は、取付け穴１０に向ってこの切れ込み２０を通過し、最終的には、この結束紐４０を取付け穴１０に貫通させることができる。
【００３１】
そして、図３に示すように取付けラベル１が結束紐４０に取付けられると、取付けラベル１の長辺に沿った方向の引張り力及びねじれ力がラベルに作用しても、この結束紐４０は、取付け穴１０の周縁１１とＶ字状の突起部１２の斜辺１２ａ，１２ａにより形成される２つの溝部１３，１３の一方に収まる。そして、さらに大きな外力がかかり、切込み２０が開いたとしても、突起部１２の先端１２ｂに位置した切れ込み端部から切れ込み２０に沿って、抜け出ることはない。
【００３２】
以下に本実施形態に係る取付けラベルを実施例に基づいて説明する。
【００３３】
［実施例］
長辺１００ｍｍ短辺４０ｍｍの紙片に、短辺と交わるラベル中心線上に、短辺から１５ｍｍ離れた位置を中心とした直径１０ｍｍの円形の穴を設け、該穴の周縁の一部に、ラベル中心線上に先端が位置するように突起高さ５ｍｍのＶ字状の突起部を設けた。さらに、ラベルの外周縁からこの取付け穴の突起部の先端に達する切れ込みを設け、ラベル外周縁側の切れ込み端部に、斜辺７ｍｍ角度６０°のＶ字状の拡開部を設けた。このように製作された実施例の取付けラベルは、図４、及び以下の表１に示す態様に当てはめると、切れ込み位置が上部、拡開部あり、突起部ありのラベルとなる。
【００３４】
この実施例の取付けラベルに対して、断面が円形、直径が２ｍｍの結束紐を用いて、ラベルの取付け難易性、図５に示すようなラベルの長辺に沿った方向（水平方向）に引張り力を作用させたときのラベルの外れ易さ、長辺に沿った方向に対するねじれ力を作用させたときのラベルの外れ易さ、を評価した。この評価結果を表１に示す。
【００３５】
表１に示すように、実施例の取付けラベルは、結束紐に取付け易く、取付けられたラベルは、結束紐から、引張りに対しては外れ難く、ねじれに対してもやや外れ難かった。
【００３６】
【表１】
2006243363.tif 000003
【００３７】
［比較例］
比較例として、表１に示すような条件で、以下に示す比較例１から比較例７の取付けラベルを製作した。
【００３８】
（比較例１）
実施例と異なる点は、図４（ｃ）に示すように突起部を設けなかった点であり、その他は、実施例と同じように製作した。
【００３９】
（比較例２）
実施例と異なる点は、図４（ａ）に示すように側部から（ラベル長辺に対して直角となる方向から）切れ込みを設け、この切れ込みの位置にあわせて突起部及び拡開部を設けた点であり、その他は、実施例と同じように製作した。
【００４０】
（比較例３）
実施例と異なる点は、図４（ａ）に示すように側部から切れ込みを設け、さらに、この切れ込みの位置にあわせて、実施例と同形状の拡開部のみを設け、突起部は設けなかった点であり、その他は、実施例と同じように製作した。
【００４１】
（比較例４）
実施例と異なる点は、図４（ｂ）に示すように、拡開部を設けなかった点であり、その他は、実施例と同じように製作した。
【００４２】
（比較例５）
実施例と異なる点は、図４（ｂ）、（ｃ）に示すように、突起部及び拡開部を設けなかった点であり、その他は、実施例と同じように製作した。
【００４３】
（比較例６）
実施例と異なる点は、図４（ａ）に示すように側部から切れ込みを設け、さらに、この切れ込みの位置にあわせて、実施例と同形状の突起部のみを設け、拡開部は設けなかった点であり、その他は、実施例と同じように製作した。
【００４４】
（比較例７）
実施例と異なる点は、図４（ａ）に示すように側部から切れ込みを設け、この切れ込みの位置にあわせた拡開部及び突起部は設けなかった点であり、その他は、実施例と同じように製作した。
【００４５】
この比較例１から７の取付けラベルに対して実施例と同じ評価試験を行った。この結果を表１に示す。尚、この表１に示す評価は、実施例の評価に対する相対評価である。
【００４６】
表１に示すように、ラベル外周縁に拡開部を設けた比較例１から３の取付けラベルは、実施例と同様に、結束紐を取付けることが容易であり、拡開部を設けなかった比較例４から７の取付けラベルは、結束紐を取付けることがやや困難であった。
【００４７】
また、側部に切れ込みを設けた場合、突起部を設けなかった比較例３及び７の取付けラベルは、ラベルに作用する引張り、ねじれに対して容易に外れ、突起部を設けた比較例２及び６の取付けラベルは、ラベルに作用する引張り、ねじれに対してやや容易に外れた。
【００４８】
さらに上部に切れ込みを設けた場合、突起部を設けなかった比較例１及び５の取付けラベルは、ラベルに作用する引張り、ねじれに対して非常に容易に外れ、突起部を設けた比較例４の取付けラベルは、実施例１と同様に、ラベルに作用する引張り、ねじれに対し外れ難かった。
【００４９】
（評価）
このような結果から、切れ込みの外周縁側端部を拡開部にすることにより、結束紐を切れ込みに案内し易くなり、ラベルの取付け易さは、切れ込み位置、突起の有無にはほとんど影響を及ぼさないと考えられる。
【００５０】
さらに、切れ込みを上部に設け、さらに取付け穴の周縁に穴内に向って突き出る突起部を設けることにより、結束紐は取付け穴から外れ難くなり、ラベルの外れ易さは、拡開部の有無にはほとんど影響を及ぼさないと考えられる。
【００５１】
以上、本発明の取り付けラベルの一実施形態について詳述したが、本発明は、前記の実施形態に限定されるものではなく、特許請求の範囲に記載された本発明の精神を逸脱しない範囲で、種々の設計変更を行うことができるものである。
【００５２】
本実施形態では、ラベルの形状は矩形であるが、切れ込みの位置、拡開部及び突起部の形状及び大きさが考慮されていれば、ラベルの形は特に限定されるものではない。
【００５３】
本実施形態に係る取付けラベルは、結束紐により結束された商品を表示するばかりでなく、園芸用植物の枝等、結束紐の代替となる部分に取付けることも可能である。
【図面の簡単な説明】
【００５４】
【図１】本実施形態に係る取付けラベルを示した図。
【図２】図１に示す取付けラベルの要部拡大図。
【図３】図１に示す取付けラベルを結束紐に取付けた斜視図。
【図４】表１に示す実施例及び比較例を説明するための図。
【図５】表１に示す評価試験の試験内容を説明するための図。
【図６】従来の取付けラベルを示した図。
【図７】従来の取付けラベルを示した図。
【符号の説明】
【００５５】
１：取付けラベル、１０：取付け穴、１１：周縁、１２：突起部、２０：切れ込み、２１：拡開部、３０：外周縁
【図１】
2006243363.tif 000004
【図２】
2006243363.tif 000005
【図３】
2006243363.tif 000006
【図４】
2006243363.tif 000007
【図５】
2006243363.tif 000008
【図６】
2006243363.tif 000009
【図７】
2006243363.tif 000010